(57)【要約】【課題】  安価で携帯通信端末機の通信呼出を外部から認知することのできる携帯通信端末機用収納具を提供する。【解決手段】  携帯通信端末機Ｓの表示部Ｓｃを被覆保護するカバー部２を備え、カバー部２に携帯通信端末機Ｓの通信呼出を検知して発光する発光体７が取付けられている。カバー部２の携帯通信端末機Ｓの表示部Ｓｃに対面する面に携帯通信端末機Ｓの表示部Ｓｃの通信呼出の発光を検知する光センサ５が取付けられ、発光体７と光センサ５との間に光センサ５が発光を検出した際に発光体７に発光を指示するコントローラが接続されている。【選択図】 図１
2017175538.tif 000002
【特許請求の範囲】
【請求項１】
携帯通信端末機の表示部を被覆保護するカバー部を備え、カバー部に携帯通信端末機の通信呼出を検知して発光する発光体が取付けられた携帯通信端末機用収納具において、カバー部の携帯通信端末機の表示部に対面する面に携帯通信端末機の表示部の通信呼出の発光を検知する光センサが取付けられ、発光体と光センサとの間に光センサが発光を検出した際に発光体に発光を指示するコントローラが接続されていることを特徴とする携帯通信端末機用収納具。
【請求項２】
請求項１の携帯通信端末機用収納具において、カバー部の携帯通信端末機の表示部に対面する面に携帯通信端末機の表示部の発光以外の光が光センサの受光面へ入射するのを規制する遮光部材が取付けられていることを特徴とする携帯通信端末機用収納具
【発明の詳細な説明】
【技術分野】
【０００１】
本発明は、携帯電話，スマートフォン，タブレット等の携帯通信端末機を収納携帯するための携帯通信端末機用収納具に係る技術分野に属する。
【背景技術】
【０００２】
最近、携帯通信端末機がタッチパネル式の大型の表示部を備えるようになってきている。このため、携帯通信端末機を取り落とす危険が増しており、携帯通信端末機を被覆保護して収納携帯することのできる携帯通信端末機用収納具が必要とされている。そして、このような携帯通信端末機用収納具には、通信呼出により発光する携帯通信端末機の表示部の発光が、被覆保護された状態のままで前記収納具の外部から認知することができる機能を備えることが要求される。
【０００３】
従来、携帯通信端末機用収納具としては、例えば、特許文献１に記載のものが知られている。
【０００４】
特許文献１には、携帯通信端末機の表示部を被覆保護するカバー部を備え、カバー部に携帯通信端末機の通信呼出の受信電波を検知して発光する発光体が取付けられた携帯通信端末機用収納具が記載されている。
【０００５】
特許文献１に係る携帯通信端末機用収納具は、発光体の発光によって、携帯通信端末機の表示部がカバー部で被覆保護された状態でも通信呼出されていることを前記収納具の外部から認知することができるようにするものである。
【先行技術文献】
【特許文献】
【０００６】
【特許文献１】実用新案登録第３１９８８６７号公報
【発明の概要】
【発明が解決しようとする課題】
【０００７】
特許文献１に係る携帯通信端末機用収納具では、他の電波の干渉等によって誤作動しないように制御系を精細に構成しなければならないため、製造コストが高くなってしまうという問題点がある。
【０００８】
本発明は、このような問題点を考慮してなされたもので、安価で携帯通信端末機の通信呼出を外部から認知することのできる携帯通信端末機用収納具を提供することを課題とする。
【課題を解決するための手段】
【０００９】
前述の課題を解決するため、本発明に係る携帯通信端末機用収納具は、特許請求の範囲の各請求項に記載の手段を採用する。
【００１０】
即ち、請求項１では、携帯通信端末機の表示部を被覆保護するカバー部を備え、カバー部に携帯通信端末機の通信呼出を検知して発光する発光体が取付けられた携帯通信端末機用収納具において、カバー部の携帯通信端末機の表示部に対面する面に携帯通信端末機の表示部の通信呼出の発光を検知する光センサが取付けられ、発光体と光センサとの間に光センサが発光を検出した際に発光体に発光を指示するコントローラが接続されていることを特徴とする。
【００１１】
この手段では、携帯通信端末機の表示部の通信呼出の発光を光センサで検知してコントローラで発光体を発光させるという簡素な制御系を構成することで、製造コストが高くなるのを回避している。
【００１２】
また、請求項２では、請求項１の携帯通信端末機用収納具において、カバー部の携帯通信端末機の表示部に対面する面に携帯通信機の表示部の発光以外の光が光センサの受光面へ入射するのを規制する遮光部材が取付けられていることを特徴とする。
【００１３】
この手段によると、遮光部材で携帯通信端末機の表示部の発光以外の光が光センサの受光面へ入射するのを規制することで、光センサの受光面への周囲からの無用の光の漏込みを防止することができる。
【発明の効果】
【００１４】
本発明に係る携帯通信端末機用収納具は、携帯通信端末機の表示部の通信呼出の発光を光センサで検知してコントローラで発光体を発光させるという簡素な制御系を構成することで、製造コストが高くなるのを回避しているため、安価で携帯通信端末機の通信呼出を外部から認知することができる効果がある。
【００１５】
さらに、請求項２として、遮光部材で携帯通信端末機の表示部の発光以外の光が光センサの受光面へ入射するのを規制することで、光センサ受光面への周囲からの無用の光の漏込みを防止することができるため携帯通信端末機の通信呼出を携帯通信端末機収納具の外部から正確に認知することができる効果がある。
【図面の簡単な説明】
【００１６】
【図１】本発明に係る携帯通信端末機用収納具を実施するための形態の第１例の斜視図である。
【図２】図１の携帯通信端末機の収納途中状態図である。
【図３】図１の携帯通信端末機の完納状態図である。
【図４】図１の携帯通信端末機用収納具の分解図である。
【図５】図１の制御系のブロック図である。
【図６】図３の要部の拡大断面図であり、（Ａ）に携帯通信端末機の収納前のカバー部の状態が示され、（Ｂ）に携帯通信端末機の収納後の状態が示されている。
【図７】図１の制御のフローチャートである。
【図８】本発明に係る携帯通信端末機用収納具を実施するための形態の第２例の斜視図である。
【図９】図８のメッシュ部分を下向きにした部分拡大断面図である。
【発明を実施するための形態】
【００１７】
以下、本発明に係る携帯通信端末機用収納具を実施するための形態を図面に基づいて説明する。
【００１８】
図１〜図７は、本発明に係る携帯通信端末機用収納具を実施するための形態の第１例を示すものである。
【００１９】
第１例では、スマートフォンからなる携帯通信端末機Ｓの収納携帯に好適なものを示してある。
【００２０】
第１例は、図１〜図４に示すように、本体部１，カバー部２，付属部３，吸着部材４，光センサ５，遮光部材６，発光体７，コントローラ８の各部で構成されている。
【００２１】
本体部１は、薄板形の携帯通信端末機Ｓの裏面Ｓａの全面を覆う面積を有するシート状材料，板状材料，積層材料等からなる。本体部１の携帯通信端末機Ｓに対面する面である内側面には、カード類を差込み収納することのできるポケット１１，窓付ポケット１２が設けられている。
【００２２】
カバー部２は、薄板形の携帯通信端末機Ｓの表面Ｓｂの全面を覆う面積を有するシート状材料，板状材料，積層材料等からなる。このカバー材２は、本体部１と一体的に形成され２つ折りに折畳まれる見開き式に形成されている。
【００２３】
付属部３は、見開き式の本体部１，カバー部２の中綴のような格好のシート材からなるもので、一側部が本体部１，カバー部２の間に沿って縫着，接着等の手段で固定され（図４参照）他側部が自由状態になっている。この付属部３は、縦方向の長さが携帯通信端末機Ｓの縦長よりも短い形状に形成され、カメラ機能を備えた携帯通信端末機Ｓの裏面Ｓａに設けられている撮影レンズを遮らず開放するようになっている。
【００２４】
吸着部材４は、付属部３のカバー部２に対面する面である表面に積層された平板状の基盤４１と、基盤４１に格子状に並列された小型の丸皿形の吸盤４２とからなる。基盤４１，吸盤４２は、ゴム材，合成樹脂材によって一体的に成形されている。
【００２５】
光センサ５は、携帯通信端末機Ｓの液晶画面等からなる表示部Ｓｃの通信呼出の発光を検知するもので、センサ本体５１が積層構造のカバー部２の内部に埋込まれ受光面５２がカバー部２の携帯通信端末機Ｓに対面する面である内側面に露出されている。なお、受光面５２は、携帯通信端末機Ｓの表示部Ｓｃに対面するように位置設定されている。
【００２６】
遮光部材６は、弾性を有する材料で光センサ５の受光面５２に通信呼出の発光が入射する孔が形成されたもので、穴が受光面５２を囲む位置に貼着等の手段で取付けられている。この遮光部材６は、図６に詳細に示されるように、光センサ５の受光面５２よりも携帯通信端末機Ｓの表示部Ｓｃ側へ突き出るように形成されており、その外形は環状、箱枠状その他デザイン化した形状を選ぶことができる。
【００２７】
発光体７は、図５に示すように、ＬＥＤ等の発光素子からなるもので、発光を外部から認知することができるようにカバー部２の外側面にスポット的に複数個が取付けられている。
【００２８】
コントローラ８は、光センサ５，発光体７に接続した制御回路８１とバッテリ８２とスイッチ８３とからなるもので、積層構造のカバー部２の内部に埋込まれるようにして設けられている。制御回路８１には、図７に示すように、光センサ５が携帯通信端末機Ｓの表示部Ｓｃの通信呼出の発光を検知した際に発光体７に点灯（発光）を指示し、その後一定時間の経過した際に発光体７に消灯を指示し、さらにその後光センサ５が遮光された際に発光体７への消灯の指示を解除する設定がなされている。この設定は、バッテリ８２の無用の消耗を避けるのに有効である。
【００２９】
第１例によると、吸着部材４に携帯通信端末機Ｓの裏面Ｓａを押付けることにより、吸着部材４の吸盤４２を押圧して弾性変形させ携帯通信端末機Ｓの裏面Ｓａを吸着させることができる。この結果、図２に示すように、携帯通信端末機Ｓが吸着部材４，付属部３を介して本体部１に装着されることになる。
【００３０】
そして、図３に示すように、カバー部２を本体部１（携帯通信端末機Ｓ）側へ折畳むことによって、洋服のポケット等に携帯されても、カバー部２で携帯通信端末機Ｓの表示部Ｓｃを含む全体を覆って保護することができるようになる。
【００３１】
なお、カバー部２を見開くように展開してから携帯通信端末機Ｓの裏面Ｓａを吸着部材４から剥がすことで、携帯通信端末機Ｓを簡単に離脱させることができる。
【００３２】
図３に示す状態で携帯通信端末機Ｓに通信呼出があった場合、携帯通信端末機Ｓの表示部Ｓｃの発光を光センサ５が検知することになる。このとき、コントローラ８は、発光体７に点灯を指示する。この結果、発光体７の発光によって、携帯通信端末機Ｓに通信呼出があることを収納具の外部から認知することができる。
【００３３】
そして、携帯通信端末機Ｓに通信呼出があったことを収納具の外部から認知させる制御系の構成が簡素で、製造コストが高くなるのを回避しているため、携帯通信端末機収納具を安価で提供することができる。
【００３４】
なお、図３に示す状態では、図６（Ｂ）に示すように、携帯通信端末機Ｓの表示部Ｓｃによって圧縮された遮光部材６が光センサ５の受光面５２の周囲を密に囲んでいる。従って、光センサ５の受光面５２に他の光が漏込むことがないことから、誤作動することなく正確に携帯通信端末機Ｓに通信呼出があったことを収納具の外部から認知させることができる。
【００３５】
図８，図９は、本発明に係る携帯通信端末機用収納具を実施するための形態の第２例を示すものである。
【００３６】
第２例は、遮光部材６を光センサ５の受光面５２を覆うシート状材としている。
【００３７】
第２例によると、第１例よりも遮光性能が低下するものの、光センサ５の受光面５２への他の光の漏込みを抑制することで、誤作動を防止することができる。なお、光センサ５の感度を第１例のものよりも低いものを選択するとすることで、誤作動を確実に防止することができる。シート状材としては、ある程度厚みのあるメッシュ材や遮光粒子が含まれた合成樹脂フィルム、布や遮光色を有した合成樹脂フィルム等が有効と言える
【００３８】
また、第２例によると、全体を薄性化するのに有効性を発揮する。
【００３９】
以上、図示した各例の外に、携帯通信端末機Ｓを吸着部材４以外の係合，嵌合等の手段で本体部１，カバー部２にセットできるようにすることも可能である。また、本体部１，付属部を備えずにカバー部２に携帯通信端末機Ｓをセットするようにすることも可能である。
【００４０】
さらに、発光体７を面状にすることも可能であり、発光色を変化させたり点滅させたりする点灯形態とすることも可能である。
【産業上の利用可能性】
【００４１】
本発明に係る携帯通信端末機用収納具は、大型のタブレットからなる携帯通信端末機の収納に適用することも可能である。
【符号の説明】
【００４２】
１        本体部
２        カバー部
５        光センサ
５２      受光面
６        遮光部材
７        発光体
８        コントローラ
Ｓ        携帯通信端末機
Ｓｃ      表示部
【図１】
2017175538.tif 000003
【図２】
2017175538.tif 000004
【図３】
2017175538.tif 000005
【図４】
2017175538.tif 000006
【図５】
2017175538.tif 000007
【図６】
2017175538.tif 000008
【図７】
2017175538.tif 000009
【図８】
2017175538.tif 000010
【図９】
2017175538.tif 000011